(57)【要約】  映像処理装置（１００）は、垂直同期信号、水平同期信号及び映像データ信号を含む入力信号の入力を受け、該入力信号に対し信号処理を行うとともに、当該映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力する。
2011024308.tif 000002
【特許請求の範囲】
【請求項１】
垂直同期信号、水平同期信号及び映像データ信号を含む入力信号の入力を受け、該入力信号に対し信号処理を行う映像信号処理装置であって、
前記入力信号に対し信号処理を行うとともに、当該映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力することを特徴とする映像信号処理装置。
【請求項２】
前記入力信号の入力を受け、前記入力信号に対し信号処理を行う映像信号処理手段と、
前記入力信号を判定して制御信号を生成する信号判定手段と、
前記制御信号に基づき、当該映像信号処理装置における前記映像データ信号の変動に起因する消費電流の変動を抑制するための前記補正信号を生成すると共に、前記補正信号を前記映像データ信号に付加する補正信号生成手段と、
前記補正信号に基づき、前記消費電流の変動を補正する補正処理手段と
を備えることを特徴とする請求項１に記載の映像信号処理装置。
【請求項３】
前記信号判定手段は、前記垂直同期信号の入力時及び前後の期間において、前記映像データ信号が変動しない期間を判定して、前記制御信号を生成することを特徴とする請求項２に記載の映像信号処理装置。
【請求項４】
前記信号判定手段は、前記水平同期信号の入力時及び前後の期間において、前記映像データ信号が変動しない期間を判定して、前記制御信号を生成することを特徴とする請求項２に記載の映像信号処理装置。
【請求項５】
前記信号判定手段は、前記垂直同期信号及び前記水平同期信号の入力時、並びに前後の期間において、前記映像データ信号が変動しない期間を判定して、前記制御信号を生成することを特徴とする請求項２に記載の映像信号処理装置。
【請求項６】
前記信号判定手段は、前記映像データ信号の各ビットの変動を所定期間カウントし、該カウント数に基づき、前記制御信号を生成することを特徴とする請求項２に記載の映像信号処理装置。
【請求項７】
前記補正信号生成手段は、前記制御信号に基づき、前記映像データ信号における各ビットを周期的またはランダムに変化させる前記補正信号を生成することを特徴とする請求項２に記載の映像信号処理装置。
【請求項８】
前記補正処理手段は、前記制御信号に基づき、前記映像データ信号における各ビットを前記補正信号に切り替えて出力することで、前記消費電流の変動を補正することを特徴とする請求項２に記載の映像信号処理装置。
【請求項９】
前記補正処理手段は、前記補正処理手段は、前記補正信号に基づいて動作することで、前記消費電流の変動を補正する補正回路を備えることを特徴とする請求項２に記載の映像信号処理装置。
【請求項１０】
前記出力信号及び前記制御信号の入力を受け、前記補正信号が付加された前記映像データ信号における、前記補正信号の付加された部位における各ビットのの信号値を所定の値に切り替える切替手段を更に備えることを特徴とする請求項２に記載の映像信号処理装置。
【請求項１１】
信号処理が施された前記入力信号の入力を受け、
前記入力信号を判定して制御信号を生成する信号判定手段と、
前記制御信号に基づき、当該映像信号処理装置における前記映像データ信号の変動に起因する消費電流の変動を抑制するための補正信号を生成する補正信号生成手段と、
前記補正信号に基づき、前記消費電流の変動を補正する補正処理手段と
を備えることを特徴とする請求項１に記載の映像信号処理装置。
【請求項１２】
垂直同期信号、水平同期信号及び映像データ信号を含む入力信号の入力を受け、該入力信号に対し信号処理を行う映像信号処理装置における映像信号処理方法であって、
前記入力信号に対し信号処理を行うとともに、前記映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力することを特徴とする映像信号処理方法。
【請求項１３】
電源、並びに前記電源に接続される音声信号処理装置及び請求項１から請求項１１のいずれか一項に記載の映像信号処理装置を備えることを特徴とするＡＶ機器。
【発明の詳細な説明】
【技術分野】
【０００１】
本発明は、垂直同期信号及び水平同期信号などにより制御される映像信号処理系と、音声信号処理系とが混在する信号処理系を構成する半導体装置及び該半導体装置が備えられるＡＶ機器の技術分野に関する。
【背景技術】
【０００２】
映像信号と音声信号とを同時に扱うデジタルシステムにおいては、一般的に、映像信号の処理部と、音声信号の処理部とが処理上互いに独立した集積回路を備えて構成される。しかしながら、これらの二つの集積回路は、同一の電源に接続され、電力の供給を受けている。このため、一方の処理部において消費電流量が大きく変動する場合、他方の処理部における供給電流の安定性が悪化し、信号処理品質に劣化が生じるという技術的な問題がある。【０００３】
近年、映像処理技術が高度に複雑化するにつれて、映像信号を処理する回路における消費電流量が増大する傾向にある。典型的な映像信号と音声信号とを同時に扱う系においては、消費電流のうち、映像信号処理側における消費分が支配的となっている。このため、映像信号処理回路における消費電流に変動が生じる場合、音声信号処理系における電流が不安定となり、音声信号の再生品質などに劣化が生じる虞がある。【０００４】
ところで、一般的な映像信号処理回路は、垂直または水平の同期信号を基準に動作しているが、このような同期信号の入力前後には、入力される映像データ信号に変化の生じないブランキング期間と呼ばれる期間がある。このようなブランキング期間においては、信号処理経路における各回路がほとんど動作しないため、通常の映像データ信号の処理が行われる期間と比較すると、データ信号経路における各回路の動作が大きく異なる。また、一般的なデジタル信号処理回路の構造はＣＭＯＳとなっているため、係るブランキング期間などにおいて処理信号のレベルに変動が発生する場合、消費電流が発生する。この消費電流の発生に起因して、映像信号処理回路において大きな電流変動が生じることがあり、このことが上述した音声信号処理回路における電源不安定の要因となっている。【０００５】
このような技術的問題に対して、電流変動の抑制を行う構成について研究が進められている。例えば、特許文献１に記載には、ＬＳＩなどの半導体装置における出力バッファの同時スイッチング時における電位間の導電線に生じる電流変動を制限することが可能となる。具体的には、出力バッファのＨレベルとＬレベルとの比率を演算回路によって検出し、該出力バッファと並列に設けられる電流制御回路を制御することで電流変動が制限される。【０００６】
また、特許文献２には、２つの電源電圧の供給を受ける電子回路の間に接続され、一の電子回路に流れる電流を検出し、該検出される電流の変動分を、他方の電子回路における電流量を調整することで電流変動を補償する構成が記載されている。【０００７】
また、特許文献３には、上述したように映像データ信号に変化の生じない垂直ブランキング期間において、映像データ信号に疑似的なランダム信号または有効面内の信号を挿入することで、消費電流を安定させ、ＰＬＬ回路や音声信号処理回路を安定動作させる構成が開示されている。【０００８】
また、音声信号の処理回路内部にコンデンサを多数設けることにより、このような映像信号処理回路における電流変動に対しても電流の安定化を図ることが出来る。
【先行技術文献】
【特許文献】
【０００９】
【特許文献１】特開平７−１１５３６０号公報
【特許文献２】特開２００２−１４２３５６号公報
【特許文献３】特開平１０−２８５４２８号公報
【発明の概要】
【発明が解決しようとする課題】
【００１０】
しかしながら、上述した各構成によって電流変動の抑制を図る場合、装置構成の複雑化や、電流変動の一部が手当てされないまま残留してしまう可能性がある。出力バッファや多数のコンデンサを設けることにより、回路構成が複雑化するとともに基板上で占める面積が増加してしまい、製造コストの上昇に繋がることなどから必ずしも望ましくはない。また、電子回路における電流変動を補償する構成を備える態様では、電源回路の構成上の制約があるため、全ての系に必ずしも採用出来るものではないという技術的な問題がある。【００１１】
また、垂直ブランキング期間に疑似的なランダムデータを挿入する特許文献３に記載の構成によれば、信号処理後に元のブランキング中のデータに戻す構成となっているため、映像信号処理回路内における電流の変動のみを補償出来る構成となっている。このため、出力バッファにおける変動に起因する、映像信号処理回路の下流に位置する処理回路のＩ／Ｏ電源での電流変動の影響などは依然残ったままである。【００１２】
本発明は、例えば上述した従来の問題点に鑑みなされたものであり、映像データ信号における大きなレベル変動などに起因して生じる電流変動を抑制し得る映像信号処理装置、映像信号処理方法及びＡＶ機器を提供することを課題とする。
【課題を解決するための手段】
【００１３】
上記課題を解決するために、本発明の映像信号処理装置は、垂直同期信号、水平同期信号及び映像データ信号を含む入力信号の入力を受け、該入力信号に対し信号処理を行う映像信号処理装置であって、前記入力信号に対し信号処理を行うとともに、当該映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力する。【００１４】
上記課題を解決するために、本発明の映像信号処理方法は、垂直同期信号、水平同期信号及び映像データ信号を含む入力信号の入力を受け、該入力信号に対し信号処理を行う映像信号処理装置における映像信号処理方法であって、前記入力信号に対し信号処理を行うとともに、前記映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力する。【００１５】
上記課題を解決するために、本発明のＡＶ機器は、電源、並びに前記電源に接続される音声信号処理装置及び上述した映像信号処理装置を備える。【００１６】
本発明の作用及び他の利得は次に説明する実施の形態から明らかにされよう。
【図面の簡単な説明】
【００１７】
【図１】本実施例のＡＶ機器の構成を概略的に示すブロック図である。
【図２】映像信号処理回路の基本構成例の構成を概略的に示すブロック図である。
【図３】基本構成例に係る映像信号処理部の構成を概略的に示すブロック図である。
【図４】映像信号処理回路に入力される諸信号の態様を示すタイミングチャートである。
【図５】本実施例の映像信号処理回路の動作による、電流変動の抑制の態様を示す波形図である。
【図６】映像信号処理回路の第１の変形例の構成を概略的に示すブロック図である。
【図７】映像信号処理回路の第２の変形例の構成を概略的に示すブロック図である。
【図８】第２の変形例に係る変動判定部の構成例を概略的に示すブロック図である。
【図９】映像信号処理回路の第３の変形例の構成を概略的に示すブロック図である。
【図１０】映像信号処理回路の第４の変形例の構成を概略的に示すブロック図である。
【図１１】第４の変形例に係る補正回路の構成を概略的に示すブロック図である。
【図１２】第５の変形例に係る映像信号処理部の構成を概略的に示すブロック図である。
【発明を実施するための形態】
【００１８】
本発明の映像信号処理装置に係る実施形態は、垂直同期信号、水平同期信号及び映像データ信号を含む入力信号の入力を受け、該入力信号に対し信号処理を行う映像信号処理装置であって、前記入力信号に対し信号処理を行うとともに、当該映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力する。
【００１９】
本発明の映像信号処理装置に係る実施形態によれば、垂直同期信号、水平同期信号及び映像データ信号を含んで成る入力信号の処理を行うことで、当該映像信号処理装置を備えるＡＶ機器における映像の出力が可能となる。つまり、本発明の映像信号処理装置の実施形態は、入力された垂直同期信号、水平同期信号及び映像データ信号に対して、映像出力のための信号処理を実施する。係る信号処理は、例えば、公知の映像信号処理回路において実施されているものと同様のものであって良い。
【００２０】
本発明の映像信号処理装置の実施形態は、係る入力信号の処理に加えて、入力信号に含まれる映像データ信号の変動に起因する消費電流の変動を補正するための補正信号を生成し、該映像データ信号に付加する。
【００２１】
ここに、映像データ信号の変動に起因する消費電流の変動とは、例えば、上述したように、ブランキング期間とその他の期間における、映像信号処理装置を構成する信号処理回路の動作状況の変化に基づく消費電流の変動などを示す趣旨である。上述したように、ブランキング期間においては、入力される映像データ信号に変化が生じないため、該映像データ信号に対する信号処理が不要となり、該信号処理経路におけるフリップフロップ回路や、ロジック回路などの動作率が大幅に低下することが知られている。このため、ブランキング期間中は、他の期間に比べて信号処理回路における消費電流が大幅に低下する。
【００２２】
このような消費電流の大幅な低下に起因して、該映像信号処理装置全体における電流の安定性が影響を受けることとなる。例えば、映像データ信号などを含む映像信号を入力信号とする映像信号処理回路と共に、同一の電源回路から電圧の供給を受ける、音声信号を処理するための信号処理回路（即ち、音声信号処理回路）を備えるＡＶ機器においては、係る映像信号処理回路における電流変動に起因して、電流の変動が生じ、信号処理の品質の劣化などに繋がる。
【００２３】
本発明の映像信号処理装置の実施形態によれば、ブランキング期間中などの映像データ信号の変動に基づく信号処理回路における消費電流の変動に対し、該変動を補正するための補正信号が映像データ信号に付加される。この補正信号とは、ブランキング期間中に動作率が大幅に低下する信号処理回路を動作させることで、消費電流を増加させ、上述した消費電流の低減の一部または全部を抑制することを目的とする補正信号である。係る補正信号は、例えば、データ信号を毎クロック反転させたパターンや、ランダムパターンなどであり、通常、ブランキング期間においてはフラットとなっている映像データ信号に対し、幾らかなりと変動を生じさせ、映像処理回路を動作させるものであればどのようなものであっても良い。
【００２４】
係る補正信号が映像データ信号に付加されるため、例えば、ブランキング期間には動作しない映像処理用の回路も補正信号部分の信号処理を行うために動作するようになり、このため、消費電流の低減の一部または全部を抑制することが可能となる。
【００２５】
このため、例えば、本発明の映像信号処理装置に係る実施形態を備える映像処理回路においては、併設され、同一の電源回路から電圧の供給を受ける音声信号処理回路などの他の電子回路に対し、電流変動による影響を抑制することが出来る。
【００２６】
このような本発明の映像信号処理装置に係る実施形態による電流変動の補正の態様について、以下に詳細に説明する。
【００２７】
本発明の映像信号処理装置に係る実施形態の一の態様は、前記入力信号の入力を受け、前記入力信号に対し信号処理を行う映像信号処理手段と、前記入力信号を判定して制御信号を生成する信号判定手段と、前記制御信号に基づき、当該映像信号処理装置における前記映像データ信号の変動に起因する消費電流の変動を抑制するための前記補正信号を生成すると共に、該補正信号を前記映像データ信号に付加する補正信号生成手段と、前記補正信号に基づき、前記消費電流の変動を補正する補正処理手段とを備える。
【００２８】
この態様によれば、垂直同期信号、水平同期信号及び映像データ信号を含む入力信号に対し映像信号処理手段による信号処理が実施されることで、映像が出力される。このため、上述したような映像出力が可能となる。
【００２９】
一方でこの態様によれば、入力信号の入力を受けた信号判定手段の動作により生成される制御信号、及び該制御信号に基づき、補正信号生成手段の動作により生成される補正信号に基づき、補正処理手段において、上述した消費電流の変動が補正される。
【００３０】
ここに、制御信号は、典型的には、後述する補正信号生成手段に対して消費電流の変動が生じるタイミングなどを示すため信号であって、例えば、後述するような垂直ブランキング期間を示す信号、または水平ブランキング期間を示す信号などがある。尚、消費電流の変動を抑制するタイミングを好適に示すことが出来る信号であれば、その他の信号であっても良く、映像データ信号中の各ビットの変動などに基づく信号であっても良い。
【００３１】
係る制御信号の入力を受けて、補正信号生成手段は、上述したように、映像データ信号に付加されることで該映像データ信号に対する信号処理を映像信号処理装置内の信号処理回路に実施させるための補正信号を生成する。補正信号は、特に、制御信号により示される垂直ブランキング期間や水平ブランキング期間など、入力される映像データ信号に変化が生じない期間において、所定のまたはランダムな信号を映像データ信号に付加するように生成される。
【００３２】
補正処理手段は、典型的には、補正信号が付加された映像データ信号の入力を受け、該映像データ信号に対し、信号処理を実施する信号処理回路である。係る補正処理手段によれば、補正信号が付加された映像データ信号に対する信号処理において、本来変化が生じないため信号処理回路における処理動作が実施されない（つまり、動作率ひいては消費電流が大幅に低下する）期間において、処理動作を行わせることが可能となる。このため、補正信号が付加されていない映像データ信号に対する信号処理と比較して、本来処理動作が実施されない期間における電流変動を抑制することが可能となる。
【００３３】
このように構成することで、デジタル映像信号処理回路における電流変動の影響を、大量のコンデンサ追加や複雑な回路の追加を行うことなく、比較的簡単な回路の追加により論理的に抑制することが出来る。また、出力される出力信号は、上述した補正信号が付加された信号を含むため、例えば、集積回路入出力部と集積回路内部の信号処理回路とで電源電圧が異なる（つまり、別系統の電源回路に接続される）集積回路においては、上述したような集積回路内部の信号処理回路での電流変動だけでなく、集積回路出力部における別系統の電源回路での電流変動も抑制することが可能となる。
【００３４】
本発明の映像信号処理装置に係る実施形態の他の態様は、前記信号判定手段は、前記垂直同期信号の入力時及び前後の期間において、前記映像データ信号が変動しない期間を判定して、前記制御信号を生成する。
【００３５】
この態様によれば、信号判定手段の動作により、映像データ信号を制御するための垂直同期信号の入力時及びその前後の垂直ブランキング期間を示す制御信号が生成される。このため、補正信号生成手段の動作により、係る垂直ブランキング期間における、映像データ信号が変動しないことに起因する電流変動の低下を補正するための補正信号が生成される。
【００３６】
このように構成することで、本発明の映像信号処理装置の実施形態を構成する信号処理回路における消費電流が一時的に落ち込む垂直ブランキング期間を好適に検出することが出来、該消費電流の落ち込みを補正することが可能となる。
【００３７】
本発明の映像信号処理装置に係る実施形態の他の態様は、前記信号判定手段は、前記水平同期信号の入力時及び前後の期間において、前記映像データ信号が変動しない期間を判定して、前記制御信号を生成する。
【００３８】
この態様によれば、信号判定手段の動作により、映像データ信号を制御するための水平同期信号の入力時及びその前後の水平ブランキング期間を示す制御信号が生成される。このため、補正信号生成手段の動作により、係る水平ブランキング期間における、映像データ信号が変動しないことに起因する電流変動の低下を補正するための補正信号が生成される。
【００３９】
このように構成することで、本発明の映像信号処理装置の実施形態を構成する信号処理回路における消費電流が一時的に落ち込む水平ブランキング期間を好適に検出することが出来、該消費電流の落ち込みを補正することが可能となる。
【００４０】
本発明の映像信号処理装置に係る実施形態の他の態様は、前記信号判定手段は、前記垂直同期信号及び前記水平同期信号の入力時、並びに前後の期間において、前記映像データ信号が変動しない期間を判定して、前記制御信号を生成する。
【００４１】
この態様によれば、信号判定手段の動作により、映像データ信号を制御するための垂直同期信号及び水平同期信号の入力時、並びにその前後における映像データ信号が変動しない期間（つまり、垂直ブランキング期間であると同時に水平ブランキング期間である期間）を示す制御信号が生成される。このため、補正信号生成手段の動作により、係る垂直ブランキング期間であり、且つ水平ブランキング期間である期間における、映像データ信号が変動しないことに起因する電流変動の低下を補正するための補正信号が生成される。
【００４２】
このように構成することで、本発明の映像信号処理装置の実施形態を構成する信号処理回路における消費電流が一時的に落ち込む垂直ブランキング期間であり、且つ水平ブランキング期間である期間を好適に検出することが出来、該消費電流の落ち込みを補正することが可能となる。
【００４３】
本発明の映像信号処理装置に係る実施形態の他の態様は、前記信号判定手段は、前記映像データ信号の各ビットの変動を所定期間カウントし、該カウント数に基づき、前記制御信号を生成する。
【００４４】
この態様によれば、信号判定手段の動作によりカウントされる映像データ信号における各ビットの変動に基づいて、制御信号が生成される。ここに、ビットの変動とは、映像データ信号により出力される映像の各ビットにおける値の変動を示す趣旨であり、映像データ信号の変動をより具体的に説明する概念である。例えば、カウントされるビットの変動が０であれば、ビットの変動がカウントされた期間において、該ビットにより出力される映像の部位には変動が全く生じていない。このため、該ビットに対して信号処理を行う際には、映像データ信号に変動が生じないため、信号処理回路における消費電流が落ち込むこととなる。
【００４５】
この態様の信号判定手段によれば、ビットの変動をカウントすることにより、映像データ信号に変動が生じるか否か（ひいては、回路における消費電流に変動が生じるか否か）を好適に判定し、該変動を補正するための補正信号の出力タイミングを示す制御信号を生成することが出来る。このため、ブランキング期間以外の有効データ期間であっても、映像データ信号のビットの変動に基づき、消費電流の変動を抑制することが可能となる。
【００４６】
尚、例えば、変動をカウントし、制御信号の出力を判定する単位時間や、制御信号の出力を判定するためのカウント値などの信号判定手段におけるビットの変動のカウントの態様は、適宜設定されて良いものである。例えば、制御信号の出力を判定する単位時間を比較的短い時間に設定すれば、有効データ期間における映像データ信号の変動に対し、リアルタイム的に対応することが可能となり、より有効である。
【００４７】
本発明の映像信号処理装置に係る実施形態の他の態様は、前記補正信号生成手段は、前記制御信号に基づき、前記映像データ信号における各ビットを周期的またはランダムに変化させる前記補正信号を生成する。
【００４８】
この態様によれば、補正信号生成手段の動作により、例えば、映像データ信号に含まれる上述したように変動が生じていないと判定されるビットの値を、周期的またはランダムな態様で変化させるための補正信号が生成される。
【００４９】
例えば、入力される映像データ信号における各ビットの変動を上述のように所定の期間カウントし、夫々のビットの変動のカウント結果の合計に応じて、ビットの値を変更する度合い（言い換えれば、補正の強度）を適宜決定した補正信号が生成される。具体的には、映像データ信号における１ライン前のビットの変動を観測し、該１ライン分のカウント結果を用いて、例えば次に現れる水平ブランキング期間などの制御信号が示すタイミングにおいて、変動させるビット数や該変動を受けた映像データ信号（つまり、補正信号が付加された映像データ信号）による信号処理回路での動作率（ひいては、電流消費）を制御する。
【００５０】
尚、映像信号処理装置の実施形態がインターレース形式の処理を採用している場合は、１ライン分のビットに代えて１フィールド分、プログレッシブ形式の処理を採用しているの場合は、１フレーム分のカウント結果を用いて、次に現れる垂直ブランキング期間において、変動させるビット数や該変動を受けた映像データ信号（つまり、補正信号が付加された映像データ信号）による信号処理回路での動作率（ひいては、電流消費）を制御するよう、適宜変更が加えられても良いものである。
【００５１】
このように構成すれば、映像データ信号におけるビットの変動に起因する電流の変動の影響を好適に抑制することが可能となる。
【００５２】
本発明の映像信号処理装置に係る実施形態の他の態様は、前記補正処理手段は、前記制御信号に基づき、前記映像データ信号における各ビットを前記補正信号に切り替えて出力することで、前記消費電流の変動を補正する。
【００５３】
この態様によれば、補正信号が適用されるタイミングにおいては、補正処理手段は、映像データ信号における各ビットの信号値を、補正信号により示される各ビットの信号値に切り替えて出力する。
【００５４】
このように構成すれば、比較的容易に映像データ信号に対して、補正信号の付加を実施することが可能となる。
【００５５】
本発明の映像信号処理装置に係る実施形態の他の態様は、前記補正処理手段は、前記補正信号に基づいて動作することで、前記消費電流の変動を補正する補正回路を備える。
【００５６】
一般的に、映像データ信号の入力が有効となっている有効データ期間（典型的には、ブランキング期間でない期間）においては、映像データ信号に対し補正信号を付加してしまうと、本来出力される映像とは異なる映像となってしまい、所望の映像出力が行えない。このため、このような有効データ期間においては、映像データ信号に対して信号処理を行う信号処理回路において、補正信号の付加や付加された補正信号に基づく電流変動の補正を行うことが出来ない。
【００５７】
そこで、この態様の補正手段は、生成された補正信号に基づき、何らかの処理を実施する補正回路を備えて構成されている。係る補正回路は、補正信号の入力を受け、何らかの処理を実施することにより、電流の消費を行う。係る補正回路は、例えばフリップフロップ回路や論理ブロック回路などにより構成されるものであり、補正信号の入力を受け、該補正信号に基づいて電流を消費することで、回路全体における電流変動を抑制する。
【００５８】
このように構成することで、ブランキング期間以外の有効データ期間において、何らかの要因により映像データ信号に基づく信号処理が実施されないことに起因して回路全体における消費電流が変動する場合であっても、好適に電流変動を抑制することが可能となる。
【００５９】
本発明の映像信号処理装置に係る実施形態の他の態様は、前記出力信号及び前記制御信号の入力を受け、前記補正信号が付加された前記映像データ信号における、前記補正信号の付加された部位における各ビットの信号値を所定の値に切り替える切替手段を更に備える。
【００６０】
この態様によれば、切替手段の動作により、映像データ信号における補正信号が付加された部位における全てのビットの信号値が例えば０などの所定の値に強制的に切り替えられる。上述したように、映像データ信号における補正信号が付加される部分は、信号判定手段の動作により、変動が生じていないと判定される部分であるため、展開的には、該当部分における全てのビットの信号値は０となる。
【００６１】
すなわち、切替手段の動作によれば、映像データ信号は、該信号における補正信号の付加により変動が生じている部分が取り除かれ、補正信号が付加される前の映像データ信号と略同一のものとなる。このため、切替手段を備える映像信号処理装置によれば、入力信号と出力信号とは、補正信号が付加されているにも関わらず、略同一のものとなる。
【００６２】
このように構成すれば、入力信号に対し、映像出力のための信号処理を行う期間は、補正信号による電流変動の抑制の効果を受け、その後、補正信号による変動が取り除かれた出力信号が出力される。このため、例えば、本態様の映像信号処理装置に係る実施形態の後段に備えられる信号処理回路が、垂直ブランキング期間などにおいては入力信号の信号値が０であることを前提としている回路である場合などに、補正信号を残すことによる信号処理の不具合を好適に抑制することが可能となる。
【００６３】
本発明の映像信号処理装置に係る実施形態の他の態様は、信号処理が施された前記入力信号の入力を受け、前記入力信号を判定して制御信号を生成する信号判定手段と、前記制御信号に基づき、当該映像信号処理装置における前記映像データ信号の変動に起因する消費電流の変動を抑制するための補正信号を生成する補正信号生成手段と、前記補正信号に基づき、前記消費電流の変動を補正する補正処理手段とを備える。
【００６４】
この態様によれば、映像信号処理装置の実施形態は、垂直同期信号、水平同期信号及び映像データ信号などを含む入力信号に対し、映像出力のための所定の（言い換えれば、従来の）信号処理が実施された信号を入力信号とする。そして、該入力信号に基づく制御信号の生成、並びに該制御信号に基づく補正信号の生成及び付加が実施される。
【００６５】
言い換えれば、この態様の映像信号処理装置の実施形態は、映像データ信号などを含む入力信号に対し、映像出力のための信号処理を行う信号処理回路の後段に設けられ、該信号処理を施された入力信号に対し、上述した電流変動の補正のための補正信号の負荷を行う。尚、本態様における制御信号及び補正信号の生成の態様、並びに補正信号の負荷の態様などは、上述した各態様に記載される内容を反映していても良い。
【００６６】
このような構成によれば、例えば、従来型の映像出力のための信号処理を行う信号処理回路に対し、該回路の後段に本態様の映像処理装置の実施形態を接続することで、比較的容易に上述した本発明の実施形態に係る各種効果を受けることが可能となる。このことは、装置構成上有益である。
【００６７】
本発明の映像信号処理方法に係る実施形態は、垂直同期信号、水平同期信号及び映像データ信号を含む入力信号の入力を受け、該入力信号に対し信号処理を行う映像信号処理装置における映像信号処理方法であって、前記入力信号に対し信号処理を行うとともに、前記映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力する。
【００６８】
本発明の情報記録再生方法に係る実施形態によれば、上述した本発明の映像信号処理装置の実施形態に係る各種効果を好適に享受し得る映像信号処理方法を得ることが出来る。
【００６９】
尚、上述した本発明の映像信号処理装置に係る実施形態における各種態様に対応して、本発明の映像信号処理方法に係る実施形態もまた各種態様を採ることが可能である。
【００７０】
本発明のＡＶ機器に係る実施形態は、電源、並びに前記電源に接続される音声信号処理装置及び上述したの映像信号処理装置の実施形態に係るいずれかの態様を備える。
【００７１】
本発明のＡＶ機器に係る実施形態によれば、上述した本発明の映像信号処理装置に係る実施形態の各種態様に係る効果を享受しながら、好適な映像及び音声の出力を行うことが可能となる。このため、ＡＶ機器の信号処理回路内における電流消費の割合が支配的である映像信号処理回路における電流変動を好適に抑制可能となり、係る電流変動による電源を同じくする他の信号処理回路への影響をも好適に抑制することが可能となる。
【００７２】
以上説明したように、本発明の映像信号処理装置及び映像信号処理方法に係る実施形態によれば、入力信号に含まれる映像データ信号に対し、補正信号が付加される。本発明のＡＶ機器に係る実施形態によれば、上述した映像信号処理装置を備える。従って、映像信号処理回路内における電流の変動を比較的簡単な構成で好適に抑制することが出来る。
【実施例】
【００７３】
以下、図面を参照して、本発明の実施例について説明する。【００７４】
（１）基本構成例
図１から図３を参照して、本発明の映像信号処理装置の実施例である映像信号処理回路１００の基本的な構成について説明する。ここに、図１は、映像信号処理回路１００が配置される信号処理回路１０の基本的な構成を概略的に示すブロック図である。図２は、映像信号処理回路１００の基本的な構成を概略的に示すブロック図である。図３は、映像信号処理回路１００内において、映像信号に対する信号処理を行う映像信号処理部１１０の基本的な構成を概略的に示すブロック図である。【００７５】
図１に示される信号処理回路１０は、映像及び音声の出力を行うＡＶ機器１に設けられる集積回路であって、映像信号及び音声信号の入力を受け、夫々の信号に対して信号処理を行う。このため、信号処理回路１０は、映像信号処理回路１００、第２映像信号処理回路２００、音声信号処理回路３００及び電源回路４００を備えて構成されている。【００７６】
映像信号処理回路１００は、上述したように本発明の映像信号処理装置の一具体例を構成する集積回路であって、第２映像信号処理回路２００から映像信号の入力を受け、該映像信号に信号処理を施した信号を出力する。映像信号処理回路１００の具体的な構成については、後に図２及び図３を参照して説明する。【００７７】
第２映像信号処理回路２００は、信号処理回路１０に入力される映像信号の入力を受け、、該映像信号に対し映像出力用の所定の信号処理（典型的には、映像信号処理回路１００とは異なる信号処理）を映像信号に施し、映像信号処理回路１００へ映像信号の出力を行う。【００７８】
音声信号処理回路３００は、信号処理回路１０に入力される音声信号の入力を受け、該音声信号に信号処理を施した信号を出力する。【００７９】
電源回路４００は、映像信号処理回路１００、第２映像信号処理回路２００及び音声信号処理回路３００の夫々に対し電圧を供給するための電源回路である。映像信号処理回路１００、第２映像信号処理回路２００及び音声信号処理回路３００は、夫々電源回路４００に接続されるとともに、接地接続されている。【００８０】
図１に示されるように、信号処理回路１０においては、映像信号及び音声信号の入力を受け、映像信号処理回路１００、第２映像信号処理回路２００及び音声信号処理回路３００の夫々において信号処理を行った後、出力する。係る信号処理によって、映像信号及び音声信号に係る映像及び音声の出力が可能となる。【００８１】
続いて、図２を参照して、映像信号処理回路１００の基本的な構成及び動作について説明する。映像信号処理回路１００は、本発明の映像信号処理装置の一具体例であって、映像データ信号、垂直同期信号（Ｖｓｙｎｃ）及び水平同期信号（Ｈｓｙｎｃ）を含む映像信号、及び電圧Ｖｃｃの入力を受けて、映像信号に対して信号処理を行う。また、映像信号処理回路１００は、更に、電流変動が生じるタイミングの一例である垂直ブランキング期間を検出し、該垂直ブランキング期間に生じる電流変動を抑制するための補正信号を生成し、映像データ信号に付加する。該処理を行うために、映像信号処理回路１００は、映像信号処理部１１０、変動判定部１２０及び補正データ生成部１３０を備えて構成される。【００８２】
映像信号処理部１１０は、垂直同期信号Ｖｓｙｎｃ、水平同期信号Ｈｓｙｎｃ及び映像データ信号の入力を受け、これらの信号に基づき、映像出力用の信号処理を実施する。【００８３】
変動判定部１２０は、映像信号処理部１１０より垂直同期信号Ｖｓｙｎｃの入力を受け、垂直同期信号Ｖｓｙｎｃから垂直ブランキング期間を検出し、該垂直ブランキング期間を示す変動検出信号を映像信号処理部１１０に対して出力する。尚、変動検出信号とは、本発明の制御信号の一例であって、本実施例においては、垂直ブランキング期間を映像信号処理部１１０及び補正データ生成部１３０に示すための信号である。【００８４】
補正データ生成部１３０は、変動検出信号の入力を受け、該変動検出信号によって示されるタイミング（つまり、垂直ブランキング期間）において、映像データ信号に付加するための補正信号を生成する。そして、映像信号処理部１１０内において、入力される映像データ信号に対し、生成される補正信号が付加される。係る補正信号の付加もまた、映像データ信号に対する信号処理の一部として実施されても良く、このため、図２に示されるように、補正データ生成部１３０は映像信号処理部１１０の一構成要素としても良い。【００８５】
尚、これらの映像信号処理部１１０、変動判定部１２０及び補正データ生成部１３０とは、映像信号処理回路１００における信号処理回路を各回路が行う処理内容に応じて便宜上分類したものであり、必ずしも夫々が独立した回路である必要はない。【００８６】
続いて、図３を参照して、映像信号処理部１１０のより具体的な構成及び動作について説明する。図３に示されるように、映像信号処理部１１０は、補正データ生成部１３０、加算部１４０及び信号処理部１５０備えて構成される。尚、これらの補正データ生成部１３０、加算部１４０及び信号処理部１５０もまた、映像信号処理部１１０を構成する信号処理回路を各回路が行う処理内容に応じて便宜上分類したものであり、必ずしも夫々が独立した回路である必要はない。【００８７】
映像信号処理部１１０においては、上述したように変動検出信号の入力を受け、補正信号の生成を行う。生成された補正信号は、加算部１４０において映像データ信号に対し加算される。そして、該補正信号が付加された映像データ信号、垂直同期信号Ｖｓｙｎｃ及び水平同期信号Ｈｓｙｎｃに基づき、信号処理部において映像出力のための信号処理が実施される。【００８８】
続いて、図４及び図５を参照して、本実施例の映像信号処置回路１０の動作について説明する。ここに、図４は、映像信号処理回路１０に入力される映像データ信号、垂直同期信号Ｖｓｙｎｃ、水平同期信号Ｈｓｙｎｃ、映像データ信号が有効であるか否かを示すデータイネーブル（ＤＥ：Ｄａｔａ  Ｅｎａｂｌｅ）信号及び変動検出信号の夫々の態様を示すタイミングチャートである。具体的には、ＣＥＡ−８６１の規格で定められたフォーマットで伝送されるデジタル映像信号を構成する各信号と、変動検出信号であり、特に諸条件をＣＥＡ−８６１の１９２０×１０８０ｉ、５９．９４Ｈｚとして例示している。【００８９】
図４においては、垂直同期信号ＶｓｙｎｃがＨｉｇｈ（言い換えれば、１）である場合、垂直同期をとるための垂直ブランキング期間を示している。同様に、垂直同期信号ＶｓｙｎｃがＨｉｇｈ（言い換えれば、１）である場合、水平同期をとるための水平ブランキング期間を示している。また、ＤＥ信号は、映像信号処理回路１０に入力される映像データ信号が有効であるか否かを示す信号であり、基本的には、適切な信号伝送のためのマージンを含む垂直及び水平ブランキング期間以外の期間において、Ｈｉｇｈ（言い換えれば、１）となり、有効データ期間であることを示している。【００９０】
図４に示されるように、この例におけるＦｉｅｌｄ１は、ｌｉｎｅ１〜５までが垂直同期信号ＶｓｙｎｃがＨｉｇｈとなり、垂直ブランキング期間のラインは、ｌｉｎｅ１１２４〜２０と定められている。【００９１】
図４の例においては、変動判定部１２０は、垂直同期信号Ｖｓｙｎｃに基づいて映像データ信号に変動が生じているか否かが判定している。このため、図４に示されるように、垂直ブランキング期間及びその前後の期間であって、映像データが有効でない期間であるｌｉｎｅ１１２４からｌｉｎｅ２０までの期間を示す変動検出信号を生成する。尚、映像信号処理回路１０における信号処理のフォーマットに基づいて、ブランキング期間に相当するラインが決定されているため、変動判定部１２０は、垂直同期信号Ｖｓｙｎｃ、または水平同期信号Ｈｓｙｎｃを基準にライン数をカウントするカウンタを持ち、該カウント数に基づいて変動検出信号を生成しても良い。【００９２】
このように生成された変動検出信号の入力を受け、補正データ生成部１３０は、ｌｉｎｅ１１２４からｌｉｎｅ２０までの期間において、変動の生じない（つまり、無効とされる）映像データ信号に対して付加するための補正信号を生成する。【００９３】
続いて、図５は、垂直ブランキング期間に起因する電流変動の態様と、本発明の基本構成例の映像信号処理回路１００による該電流変動の抑制の態様を概略的に示す波形図である。基本構成例の映像信号処理回路１０においては、上述したように映像データ信号が無効となる期間（つまり、映像データ信号に変動が生じないとされる期間であって、図４のｌｉｎｅ１１２４からｌｉｎｅ２０までの期間）には、映像データ信号に補正信号が付加され、該補正信号により本来は動作しない信号処理回路の各部が動作し、結果として電流の消費が発生する。このため、図５に示されるように、補正前（つまり、補正信号が付加されない場合）の垂直ブランキング期間近傍の映像データ信号の無効期間における電流消費（破線部）と比較して、補正後（つまり、補正信号が付加される場合）の電流消費（実線部）は変動幅がより小さくなる。【００９４】
（２）第１変形例
続いて、図６を参照しながら、本発明の映像信号処理装置の第１の変形例である映像信号処理回路１００ａの基本的な構成及び動作について説明する。ここに、図６は、映像信号処理回路１００ａの基本的な構成を概略的に示すブロック図である。尚、図６において、図２と同様の構成については、同一の番号を付して、説明を割愛している。【００９５】
映像信号処理回路１００ａは、映像データ信号、垂直同期信号Ｖｓｙｎｃ及び水平同期信号Ｈｓｙｎｃを含む映像信号、及び電圧Ｖｃｃの入力を受けて、映像信号に対して信号処理を行う。映像信号処理回路１００ａは、更に、電流変動が生じるタイミングの一例である垂直ブランキング期間及び水平ブランキング期間を検出し、該期間中に生じる電流変動を抑制するための補正信号を生成し、映像データ信号に付加する。該処理を行うために、映像信号処理回路１００ａは、映像信号処理部１１０、変動判定部１２０ａ及び補正データ生成部１３０を備えて構成される。【００９６】
変動判定部１２０ａは、本発明の基本構成例に係る変動判定部１２０が垂直同期信号Ｖｓｙｎｃの入力を受け、垂直同期信号Ｖｓｙｎｃに基づいて垂直ブランキング期間を検出し、該垂直ブランキング期間を示す変動検出信号を映像信号処理部１１０に対して出力していたことに加え、水平同期信号Ｈｓｙｎｃの入力を受け、水平同期信号Ｈｓｙｎｃに基づいて水平ブランキング期間を検出し、該水平ブランキング期間を示す変動検出信号を合わせて映像信号処理部１１０に出力している。つまり、出力される変動検出信号によれば、垂直ブランキング期間に加えて、水平ブランキング期間の近傍における映像データ無効期間も示される。【００９７】
このため、補正データ生成部１３０は、入力される変動検出信号に基づき補正信号を生成することで、垂直ブランキング期間に起因する電流変動とともに、水平ブランキング期間に起因する電流変動をも抑制することが可能となる。【００９８】
（３）第２変形例
続いて、図７及び図８を参照しながら、本発明の映像信号処理装置の第２の変形例である映像信号処理回路１００ｂの基本的な構成及び動作について説明する。ここに、図７は、映像信号処理回路１００ｂの基本的な構成を概略的に示すブロック図である。また、図８は、本発明の映像信号処理装置の第２の変形例である映像信号処理回路１００ｂが備える変動判定部１２０ｂの基本的な構成を示す。尚、図７において、図２と同様の構成については、同一の番号を付して、説明を割愛している。【００９９】
映像信号処理回路１００ｂは、映像データ信号、垂直同期信号Ｖｓｙｎｃ及び水平同期信号Ｈｓｙｎｃを含む映像信号、及び電圧Ｖｃｃの入力を受けて、映像信号に対して信号処理を行う。映像信号処理回路１００ｂは、更に、電流変動が生じるタイミングの一例である垂直ブランキング期間及び水平ブランキング期間を検出すると共に、映像データ信号に含まれるビットの変動を観察することで映像データ信号に変動が生じていない（つまり、電流変動が生じる）タイミングを検出し、該期間中に生じる電流変動を抑制するための補正信号を生成し、映像データ信号に付加する。該処理を行うために、映像信号処理回路１００ｂは、映像信号処理部１１０、変動判定部１２０ｂ及び補正データ生成部１３０を備えて構成される。【０１００】
変動判定部１２０ｂは、垂直同期信号Ｖｓｙｎｃ及び水平同期信号Ｈｓｙｎｃの入力を受け、垂直ブランキング期間及び水平ブランキング期間を示す変動検出信号を映像信号処理部１１０に対して出力する。このように出力される変動検出信号によれば、垂直ブランキング期間及び水平ブランキング期間の近傍における映像データ無効期間が示される。【０１０１】
更に、変動判定部１２０ｂは、図８に示されるように、映像データ信号におけるビット毎の変動をカウントする。そしてビット毎の変動の合計を所定の周期で集計し、該変動のカウンタ値に基づいて補正制御信号を映像信号処理部１１０に対して出力する。【０１０２】
補正制御信号は、本発明の制御信号の一具体例であって、補正データ生成部１３０において、電流変動の補正のための補正信号を生成するための基準となる。該補正制御信号によれば、例えば、生成される補正信号により規定される電流変動の補正量や、信号処理回路における動作率などが制御される。【０１０３】
変動判定部１２０ｂにおける補正制御信号の生成の態様について説明する。変動判定部１２０ｂにおいてカウントされるビットにおいて、相当する映像データ信号に比較的多くの変動が生じている場合、ビット毎の変動のカウント値が比較的大きくなる。このため、該部位においては、信号処理に係る電流消費の低減も比較的少ないことから、比較的弱い補正が実施されるよう、補正制御信号が生成される。他方でビット毎の変動のカウント値が比較的小さい場合は、該ビットに相当する映像データ信号の部位の変動が少ない、または変動が生じていないことを示している。このため、係る部位においては、比較的強い補正が実施されるよう補正データ生成部１３０を制御する補正制御信号が生成される。【０１０４】
このため、補正データ生成部１３０は、入力される変動検出信号に基づき補正信号を生成することで、垂直ブランキング期間及び水平ブランキング期間に起因する電流変動を抑制することが可能となるとともに、映像データ信号におけるビット変動に起因する電流変動をも抑制することが可能となる。【０１０５】
尚、カウント値に基づく補正制御信号の出力の周期や補正の強度を決定するためのカウント値の閾値などは、適宜決定されて良いものである。例えば、補正制御信号の出力を判定する単位時間を水平ライン時間程度の比較的短い時間に設定すれば、有効データ期間における映像データ信号の変動に対し、リアルタイム的に対応することが可能となり、より有効である。また、信号処理回路１０の実施形態がインターレース形式の処理を採用している場合は、１フィールド分、プログレッシブ形式の処理を採用しているの場合は、１フレーム分のカウント結果を用いて、補正制御信号を生成するように、信号処理の態様に応じて適宜設定されても良い。また水平１ライン時間のカウントと１フレーム（フィールド）時間のカウントの両方を同時に行うなど複数のカウントを組み合わせて行うことも可能である。【０１０６】
（４）第３変形例
続いて、図９を参照しながら、本発明の映像信号処理装置の第３の変形例である映像信号処理回路１００ｃの基本的な構成及び動作について説明する。ここに、図９は、映像信号処理回路１００ｃの基本的な構成を概略的に示すブロック図である。尚、図９において、図２と同様の構成については、同一の番号を付して、説明を割愛している。【０１０７】
図９に示されるように、映像信号処理回路１００ｃは、映像信号処理部１１０ｃ、変動判定部１２０ｃ、補正データ生成部１３０ｃ及び補正データ処理部１６０を備えて構成される。【０１０８】
映像信号処理部１１０ｃは、垂直同期信号Ｖｓｙｎｃ、水平同期信号Ｈｓｙｎｃ及び映像データ信号の入力を受け、映像出力用の信号処理を実施する。また、映像信号処理部１１０ｃに入力された垂直同期信号Ｖｓｙｎｃ、水平同期信号Ｈｓｙｎｃ及び映像データ信号の夫々は、変動判定部１２０ｃへと同時に入力される。【０１０９】
変動判定部１２０ｃは、上述した変動判定部１２０ｂと同様の構成であって、生成した変動検出信号及び補正制御信号を補正データ生成部１３０ｃへと出力する。【０１１０】
補正データ生成部１３０ｃは、補正データ生成部１３０などと異なり、映像信号処理部１１０ｃとは独立して（つまり、映像信号処理部１１０ｃにおける信号処理とは異なる処理経路において）構成される回路群である。補正データ生成部１３０ｃは、入力される変動検出信号及び補正制御信号に基づき、電流変動を抑制するための補正信号を生成し、補正データ処理部１６０へと出力する。【０１１１】
補正データ処理部１６０は、典型的には、例えばフリップフロップ回路や論理ブロック回路などにより構成される回路群であり、入力された補正信号に対して信号処理を実施することで、電流の消費を生じさせ、映像信号処理回路１００ｃ全体における電流消費の変動を抑制させる。【０１１２】
一般的に、映像データ信号の入力が有効となっている有効データ期間においては、補正信号が付加された映像データ信号に対する信号処理を行うことで、本来出力されることが意図されていない補正信号部分までも出力されることとなる。これは、所望の映像出力が行えないなどの技術的な問題に繋がる。【０１１３】
他方で、本変形例の構成によれば、特に有効データ期間においては、補正信号に基づく電流変動の抑制のための信号処理を、映像データ信号の信号処理を行う回路とは異なる回路において実施することで、係る技術的問題を好適に回避することが出来る。【０１１４】
尚、例えば、第３変形例においては、有効データ期間のみ補正データ処理部１６０における信号処理を実施しても良く、ブランキング期間においては、生成された補正信号を映像信号処理部１１０ｃに入力し、上述の基本構成例のように映像信号処理部１１０ｃにおける信号処理によって補正信号に基づく電流消費が行われる構成でも良い。【０１１５】
また、変動判定部１２０ｃ、補正データ生成部１３０ｃ及び補正データ処理部１６０を、映像信号処理回路１００ｃから独立した回路として構成しても良い。このように構成すれば、従来型の（つまり、本発明の実施例によらない）映像信号処理回路を備える信号処理回路に対し、係る変動判定部１２０ｃ、補正データ生成部１３０ｃ及び補正データ処理部１６０を含む回路を追加することで、比較的容易に本変形例に係る効果を享受することが可能となる。【０１１６】
（５）第４変形例
続いて、図１０及び１１を参照しながら、本発明の映像信号処理装置の第４の変形例である映像信号処理回路１００ｄ及び補正回路５００の基本的な構成及び動作について説明する。ここに、図１０は、映像信号処理回路１００ｄ及び補正回路５００を備える信号処理回路１０ｄの基本的な構成を概略的に示すブロック図であり、図１１は、補正回路５００の基本的な構成を概略的に示すブロック図である。尚、図１０及び図１１において、図１及び図２と同様の構成については、同一の番号を付して、説明を割愛している。【０１１７】
図１０に示されるように、第４変形例に係る信号処理回路１０ｄは、映像信号処理回路１００ｄの後段に補正回路５００が接続されて構成されている。【０１１８】
映像信号処理回路１００ｄは、所謂公知の信号処理用の集積回路であって、垂直同期信号Ｖｓｙｎｃ、水平同期信号Ｈｓｙｎｃ及び映像データ信号の入力を受け、映像出力用の信号処理を実施する。【０１１９】
補正回路５００は、映像信号処理回路１００ｄの後段に設けられ、垂直同期信号Ｖｓｙｎｃ、水平同期信号Ｈｓｙｎｃ及び映像データ信号の入力を受け、これら信号に基づく補正信号を生成し、映像信号処理回路１００ｄにおける信号処理と同期しながら補正信号に対する信号処理を行うことで電流消費（つまり、電流変動の抑制）を実施する。また、補正回路５００は、映像信号処理回路１００ｄから信号処理された映像データ信号を含む映像信号の入力を受け、該映像データ信号に対して生成された補正信号を付加した信号を出力する。このため、補正回路５００は、変動判定部１２０ｄ、補正データ生成部１３０ｄ、補正データ処理部１６０ｄ及び加算部１７０を備えて構成される。【０１２０】
変動判定部１２０ｄは、上述した変動判定部１２０ｃとほぼ同様の構成であって、生成した変動検出信号及び補正制御信号を補正データ生成部１３０ｄへと出力する。【０１２１】
補正データ生成部１３０ｄは、入力される変動検出信号及び補正制御信号に基づき、電流変動を抑制するための補正信号を生成し、補正データ処理部１６０ｄへと出力する。また、補正データ生成部１３０ｄは、生成した補正信号を加算部１４０ｄに出力する。【０１２２】
補正データ処理部１６０ｄは、補正データ処理部１６０とおおむね同様の構成を有する回路群であり、入力された補正信号に対して信号処理を実施することで、電流の消費を生じさせ、映像信号処理回路１００ｄ及び補正回路５００全体における電流消費の変動を抑制させる。【０１２３】
加算部１４０ｄは、映像信号処理回路１００ｄにおいて処理された映像データ信号に対し、補正データ生成部１３０ｄにおいて生成された補正信号を付加して出力する。このため、補正回路５００から出力される映像信号に含まれる映像データ信号は、上述の基本構成例と同様に補正信号が付加されたものとなる。【０１２４】
このように構成すれば、上述の第３変形例と同様に、有効データ期間においても補正信号に基づく電流変動の抑制が可能となる。また、係る電流変動の抑制のための補正回路５００が、映像信号の信号処理のための映像信号処理回路１００ｄと独立して構成されているため、従来型の（つまり、本発明の実施例によらない）映像信号処理回路を備える信号処理回路に対し、係る補正回路５００を追加することで、比較的容易に本変形例に係る効果を享受することが可能となる。【０１２５】
（６）第５変形例
続いて、図１２を参照しながら、本発明の映像信号処理装置の第５の変形例に係る映像信号処理部１１０ｅの基本的な構成及び動作について説明する。ここに、図１２は、映像信号処理回路１１０ｅの基本的な構成を概略的に示すブロック図である。尚、図１２において、図３と同様の構成については、同一の番号を付して、説明を割愛している。【０１２６】
図１２に示されるように、映像信号処理部１１０ｅは、補正データ生成部１３０、加算部１４０、信号処理部１５０及び切替部１７０を備えて構成される。【０１２７】
切替部１７０は、、変動検出信号の入力を受け、該信号に基づき、映像データ信号に付加された補正信号に相当する部位における全てのビットの信号値を、例えば０などの所定の固定値に切り替える。【０１２８】
映像データ信号における補正信号が付加される部分は、上述したように変動が生じていないと判定される部分であって、信号値は概ね全ビット０である。このため、切替部１７０の動作によれば、出力される映像データ信号は、補正信号が付加されているにも関わらず、補正信号が付加される前の映像データ信号と概ね同一のものとなる。【０１２９】
このように構成すれば、入力される映像データ信号に対し、映像出力のための信号処理を行う期間は、補正信号による電流変動の抑制の効果を受け、その後、補正信号による変動が取り除かれた映像データ信号が出力される。このため、例えば、本態様の映像信号処理装置に係る実施形態の後段に備えられる信号処理回路が、垂直ブランキング期間などにおいては入力信号における全てのビットの信号値が０または、所定の固定値であることを前提としている回路である場合などに、補正信号を残すことによる信号処理の不具合を好適に抑制することが可能となる。尚、係る所定の固定値は、映像信号処理部１１０ｅ及び周囲の回路構成などに基づいて、予め適切な数値に設定されていることが好ましい。【０１３０】
本発明は、上述した実施例に限られるものではなく、請求の範囲及び明細書全体から読み取れる発明の要旨或いは思想に反しない範囲で適宜変更可能であり、そのような変更を伴なう映像信号処理回路、映像信号処理方法及びＡＶ機器などもまた本発明の技術的範囲に含まれるものである。例えば、上述した本発明の映像信号処理装置に係る基本構成例及び各種変形例を適宜組み合わせて用いても良い。
【符号の説明】
【０１３１】
１  ＡＶ機器、
１０  信号処理回路、
１００  映像信号処理回路、
１１０  映像信号処理部、
１２０  変動判定部、
１３０  補正データ生成部、
１４０  加算部、
１５０  信号処理部。
【図１】
2011024308.tif 000003
【図２】
2011024308.tif 000004
【図３】
2011024308.tif 000005
【図４】
2011024308.tif 000006
【図５】
2011024308.tif 000007
【図６】
2011024308.tif 000008
【図７】
2011024308.tif 000009
【図８】
2011024308.tif 000010
【図９】
2011024308.tif 000011
【図１０】
2011024308.tif 000012
【図１１】
2011024308.tif 000013
【図１２】
2011024308.tif 000014
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
垂直同期信号、水平同期信号及び映像データ信号を含む入力信号の入力を受け、該入力信号に対し信号処理を行う映像信号処理装置であって、
前記入力信号に対し信号処理を行うとともに、当該映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力することを特徴とする映像信号処理装置。
【請求項２】
前記入力信号の入力を受け、前記入力信号に対し信号処理を行う映像信号処理手段と、
前記入力信号を判定して制御信号を生成する信号判定手段と、
前記制御信号に基づき、当該映像信号処理装置における前記映像データ信号の変動に起因する消費電流の変動を抑制するための前記補正信号を生成すると共に、前記補正信号を前記映像データ信号に付加する補正信号生成手段と、
前記補正信号に基づき、前記消費電流の変動を補正する補正処理手段と
を備えることを特徴とする請求項１に記載の映像信号処理装置。
【請求項３】
前記信号判定手段は、前記垂直同期信号の入力時及び前後の期間において、前記映像データ信号が変動しない期間を判定して、前記制御信号を生成することを特徴とする請求項２に記載の映像信号処理装置。
【請求項４】
前記信号判定手段は、前記水平同期信号の入力時及び前後の期間において、前記映像データ信号が変動しない期間を判定して、前記制御信号を生成することを特徴とする請求項２に記載の映像信号処理装置。
【請求項５】
前記信号判定手段は、前記垂直同期信号及び前記水平同期信号の入力時、並びに前後の期間において、前記映像データ信号が変動しない期間を判定して、前記制御信号を生成することを特徴とする請求項２に記載の映像信号処理装置。
【請求項６】
前記信号判定手段は、前記映像データ信号の各ビットの変動を所定期間カウントし、該カウント数に基づき、前記制御信号を生成することを特徴とする請求項２に記載の映像信号処理装置。
【請求項７】
前記補正信号生成手段は、前記制御信号に基づき、前記映像データ信号における各ビットを周期的またはランダムに変化させる前記補正信号を生成することを特徴とする請求項２に記載の映像信号処理装置。
【請求項８】
前記補正処理手段は、前記制御信号に基づき、前記映像データ信号における各ビットを前記補正信号に切り替えて出力することで、前記消費電流の変動を補正することを特徴とする請求項２に記載の映像信号処理装置。
【請求項９】
前記補正処理手段は、前記補正信号に基づいて動作することで、前記消費電流の変動を補正する補正回路を備えることを特徴とする請求項２に記載の映像信号処理装置。
【請求項１０】
前記出力信号及び前記制御信号の入力を受け、前記補正信号が付加された前記映像データ信号における、前記補正信号の付加された部位における各ビットのの信号値を所定の値に切り替える切替手段を更に備えることを特徴とする請求項２に記載の映像信号処理装置。
【請求項１１】
信号処理が施された前記入力信号の入力を受け、
前記入力信号を判定して制御信号を生成する信号判定手段と、
前記制御信号に基づき、当該映像信号処理装置における前記映像データ信号の変動に起因する消費電流の変動を抑制するための補正信号を生成する補正信号生成手段と、
前記補正信号に基づき、前記消費電流の変動を補正する補正処理手段と
を備えることを特徴とする請求項１に記載の映像信号処理装置。
【請求項１２】
垂直同期信号、水平同期信号及び映像データ信号を含む入力信号の入力を受け、該入力信号に対し信号処理を行う映像信号処理装置における映像信号処理方法であって、
前記入力信号に対し信号処理を行うとともに、前記映像信号処理装置における前記映像データ信号の変動に起因する消費電流の変動を抑制するための補正信号を前記映像データ信号に付加し、前記垂直同期信号、前記水平同期信号、及び前記補正信号が付加された前記映像データ信号を含む出力信号を出力することを特徴とする映像信号処理方法。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
垂直同期信号、水平同期信号及び映像データ信号を含む入力信号の入力を受け、該入力信号に対し信号処理を行う映像信号処理装置であって、
前記入力信号の入力を受け、前記入力信号に対し信号処理を行う映像信号処理手段と、
前記入力信号を判定して制御信号を生成する信号判定手段と、
前記制御信号に基づき、当該映像信号処理装置における前記映像データ信号の変動に起因する消費電流の変動を抑制するための前記補正信号を生成すると共に、前記補正信号を前記映像データ信号に付加する補正信号生成手段と、
前記補正信号に基づき、前記消費電流の変動を補正する補正処理手段と、
前記垂直同期信号と前記水平同期信号と前記補正信号が付加された前記映像データ信号とを含む出力信号を出力する出力手段と
を備え、
前記信号判定手段は、前記映像データ信号の各ビットの変動を所定期間カウントし、該カウント数に基づき、前記制御信号を生成することを特徴とする映像信号処理装置。
【請求項２】
前記信号判定手段は、前記垂直同期信号の入力時及び前後の期間において、前記映像デ
ータ信号が変動しない期間を判定して、前記制御信号を生成することを特徴とする請求項
１に記載の映像信号処理装置。
【請求項３】
前記信号判定手段は、前記水平同期信号の入力時及び前後の期間において、前記映像デ
ータ信号が変動しない期間を判定して、前記制御信号を生成することを特徴とする請求項
１に記載の映像信号処理装置。
【請求項４】
前記信号判定手段は、前記垂直同期信号及び前記水平同期信号の入力時、並びに前後の
期間において、前記映像データ信号が変動しない期間を判定して、前記制御信号を生成す
ることを特徴とする請求項１に記載の映像信号処理装置。
【請求項５】
前記補正信号生成手段は、前記制御信号に基づき、前記映像データ信号における各ビッ
トを周期的またはランダムに変化させる前記補正信号を生成することを特徴とする請求項
１に記載の映像信号処理装置。
【請求項６】
前記補正処理手段は、前記制御信号に基づき、前記映像データ信号における各ビットを
前記補正信号に切り替えて出力することで、前記消費電流の変動を補正することを特徴と
する請求項１に記載の映像信号処理装置。
【請求項７】
前記補正処理手段は、前記補正信号に基づいて動作することで、前記消費電流の変動を補正する補正回路を備えることを特徴とする請求項１に記載の映像
信号処理装置。
【請求項８】
前記出力信号及び前記制御信号の入力を受け、前記補正信号が付加された前記映像デー
タ信号における、前記補正信号の付加された部位における各ビットのの信号値を所定の値
に切り替える切替手段を更に備えることを特徴とする請求項１に記載の映像信号処理装置。
【請求項９】
垂直同期信号、水平同期信号及び映像データ信号を含む入力信号の入力を受け、該入力信号に対し信号処理を行う映像信号処理装置であって、
信号処理が施された前記入力信号の入力を受け、前記入力信号を判定して制御信号を生成する信号判定手段と、
前記制御信号に基づき、当該映像信号処理装置における前記映像データ信号の変動に起
因する消費電流の変動を抑制するための補正信号を生成する補正信号生成手段と、
前記補正信号に基づき、前記消費電流の変動を補正する補正処理手段と
を備え、
前記信号判定手段は、前記映像データ信号の各ビットの変動を所定期間カウントし、該カウント数に基づき、前記制御信号を生成することを特徴とする映像信号処理装置。
【請求項１０】
垂直同期信号、水平同期信号及び映像データ信号を含む入力信号の入力を受け、該入力信号に対し信号処理を行う映像信号処理装置における映像信号処理方法であって、
前記入力信号の入力を受け、前記入力信号に対し信号処理を行う映像信号処理工程と、
前記入力信号を判定して制御信号を生成する信号判定工程と、
前記制御信号に基づき、当該映像信号処理装置における前記映像データ信号の変動に起因する消費電流の変動を抑制するための前記補正信号を生成すると共に、前記補正信号を前記映像データ信号に付加する補正信号生成工程と、
前記補正信号に基づき、前記消費電流の変動を補正する補正処理工程と、
前記垂直同期信号と前記水平同期信号と前記補正信号が付加された前記映像データ信号とを含む出力信号を出力する出力工程と
を備え、
前記信号判定工程は、前記映像データ信号の各ビットの変動を所定期間カウントし、該カウント数に基づき、前記制御信号を生成することを特徴とする映像信号処理方法。
【国際調査報告】
2011024308.tif 000015
2011024308.tif 000016
2011024308.tif 000017
2011024308.tif 000018
2011024308.tif 000019
2011024308.tif 000020